(57)【要約】【課題】スカートガードの着脱時における締結具の落下をより確実に防止することができる乗客コンベアのスカートガード着脱装置を得る。【解決手段】スカートガード５に設けられた補強部材１０には、ねじ軸部２２ａと、ねじ軸部２２ａの一端部に設けられたねじ頭部２２ｂとを持つ固定用ボルト２２を有する締結具２０が設けられている。主枠１に設けられた取付ブラケット３０には、一端部が開放され、開放部分からねじ軸部２２ａを挿入可能なスリット部３２が設けられている。補強部材１０は、ねじ軸部２２ａがスリット部３２内に挿入された状態で取付ブラケット３０が補強部材１０とねじ頭部２２ｂとの間で締め付けられることにより取付ブラケット３０に取り付けられる。【選択図】図２
2015024894.tif 000002
【特許請求の範囲】
【請求項１】
スカートガードに設けられている補強部材、
上記補強部材に設けられている締結具、及び
主枠に設けられている取付部材
を備え、
上記取付部材には、一端部が開放されたスリット部が設けられ、
上記締結具は、上記スリット部の開放部分から上記スリット部内に挿入可能なねじ軸部と、上記ねじ軸部の一端部に設けられたねじ頭部とを持つねじ部材を有しており、
上記補強部材は、上記ねじ軸部が上記スリット部内に挿入された状態で上記取付部材が上記補強部材と上記ねじ頭部との間で締め付けられることにより上記取付部材に取り付けられ、上記スリット部の開放部分を通して上記ねじ軸部が上記スリット部から外されることにより上記取付部材から取り外される乗客コンベアのスカートガード着脱装置。
【請求項２】
上記補強部材には、上記ねじ軸部がスライド可能に挿入された長穴が乗客コンベアの踏段の移動方向に沿って設けられている請求項１に記載の乗客コンベアのスカートガード着脱装置。
【請求項３】
締結具は、上記ねじ軸部が螺合するねじ座をさらに有し、
上記ねじ座は、上記スカートガードと上記補強部材との間に存在する空間内に設けられている請求項１または請求項２に記載の乗客コンベアのスカートガード着脱装置。
【請求項４】
上記ねじ座は、上記ねじ軸部が螺合するねじ座本体と、上記ねじ座本体から上記スカートガードに向かって突出した突出部とを有している請求項３に記載の乗客コンベアのスカートガード着脱装置。
【請求項５】
上記取付部材には、上記ねじ部材の通過を許容し、上記スリット部の開放部分を通して上記スリット部内に連通する大径穴部が設けられており、
上記大径穴部と上記スリット部とで、だるま穴が構成されている請求項１〜請求項４のいずれか一項に記載の乗客コンベアのスカートガード着脱装置。
【発明の詳細な説明】
【技術分野】
【０００１】
この発明は、主枠に対してスカートガードを着脱可能に取り付ける乗客コンベアのスカートガード着脱装置に関するものである。
【背景技術】
【０００２】
従来、ねじ穴が設けられたねじ受けブロックをアングルの裏側に配置し、スカートガードパネルに設けられたビス孔からアングルの長穴を通してビスをねじ受けブロックのねじ穴に挿入することにより、スカートガードパネルをアングルに固定したマンコンベアが知られている（例えば、特許文献１参照）。
【先行技術文献】
【特許文献】
【０００３】
【特許文献１】特開２００２−２８４４７２号公報
【発明の概要】
【発明が解決しようとする課題】
【０００４】
特許文献１に示されたマンコンベアでは、スカートガードパネルをアングルに着脱するために、スカートガードパネル及びねじ受けブロックからビスを外す必要がある。これにより、スカートガードパネルの着脱作業の際に、マンコンベアの主枠内にビス及びねじ受けブロック等の締結部品をあやまって落としてしまうおそれがある。
【０００５】
また、締結部品がマンコンベアの主枠内に落下すると、主枠内への締結部品の落下による二次災害（例えば、踏段の走行経路内に進入した締結部品に踏段が乗り上がることによる踏段の破損等）が生じるおそれもある。
【０００６】
この発明は、上記の様な課題を解決するためになされたものであり、スカートガードの着脱時における締結具の落下をより確実に防止することができる乗客コンベアのスカートガード着脱装置を得ることを目的とする。
【課題を解決するための手段】
【０００７】
この発明による乗客コンベアのスカートガード着脱装置は、スカートガードに設けられている補強部材、補強部材に設けられている締結具、及び主枠に設けられている取付部材を備え、取付部材には、一端部が開放されたスリット部が設けられ、締結具は、スリット部の開放部分からスリット部内に挿入可能なねじ軸部と、ねじ軸部の一端部に設けられたねじ頭部とを持つねじ部材を有しており、補強部材は、ねじ軸部がスリット部内に挿入された状態で取付部材が補強部材とねじ頭部との間で締め付けられることにより取付部材に取り付けられ、スリット部の開放部分を通してねじ軸部がスリット部から外されることにより取付部材から取り外される。
【発明の効果】
【０００８】
この発明による乗客コンベアのスカートガード着脱装置によれば、ねじ部材のねじ軸部がスリット部の開放部分を通してスリット部に挿入可能になっているので、締結具を補強部材から取り外さなくても取付部材に対して補強部材を着脱することができる。これにより、スカートガードの着脱時における締結具の落下をより確実に防止することができる。
【図面の簡単な説明】
【０００９】
【図１】この発明の実施の形態１によるエスカレータを示す側面図である。
【図２】図１のスカートガード着脱装置の要部を示す斜視図である。
【図３】図２の補強部材に締結具が設けられている状態を示す拡大図である。
【図４】この発明の実施の形態２によるスカートガード着脱装置の取付部材を示す斜視図である。
【図５】この発明の実施の形態３によるスカートガード着脱装置の取付部材を示す斜視図である。
【図６】この発明の実施の形態４によるスカートガード着脱装置の取付部材を示す斜視図である。
【図７】この発明の実施の形態５によるスカートガード着脱装置の補強部材に締結具が設けられている要部を示す斜視図である。
【図８】この発明の実施の形態６によるスカートガード着脱装置の補強部材に締結具が設けられている状態を示す斜視図である。
【図９】この発明の実施の形態７によるスカートガード着脱装置の要部を示す斜視図である。
【図１０】図９の補強部材に締結具が設けられている状態を示す拡大図である。
【図１１】この発明の実施の形態８によるスカートガード着脱装置の要部を示す斜視図である。
【図１２】図１１の補強部材に締結具が設けられている状態を示す拡大図である。
【発明を実施するための形態】
【００１０】
実施の形態１．
図１は、この発明の実施の形態１によるエスカレータを示す側面図である。図１において、上階と下階との間には、エスカレータの主枠１が設けられている。主枠１には、無端状に連結された複数の踏段２が支持されている。各踏段２は、主枠１内に設置された駆動機（図示せず）の駆動力により、上階と下階との間で循環移動される。主枠１の上部には、主枠１の幅方向両端部に配置された一対の欄干３が設けられている。各欄干３の外周部には、踏段２と同期して移動する移動手摺４が設けられている。また、図１には図示されていないが、欄干３の下部には、複数の板状のスカートガード５（後述の図２参照）が踏段２の移動方向に沿って並べられている。各スカートガード５は、スカートガード着脱装置６（図２参照）によって主枠１に固定されている。
【００１１】
図２は、図１のスカートガード着脱装置６の要部を示す斜視図である。図３は、図２の補強部材に締結具が設けられている状態を示す拡大図である。なお、図２では、スカートガード５が主枠１から取り外されている状態が示されている。スカートガード５は、表面及び裏面のうち表面を踏段２の幅方向端面に対向させて設けられている。
【００１２】
スカートガード着脱装置６は、各スカートガード５の裏面に設けられスカートガード５を補強する補強部材１０と、補強部材１０に設けられている複数の締結具２０と、主枠１に設けられ、締結具２０によって補強部材１０が着脱可能に取り付けられる複数の取付ブラケット（取付部材）３０とを有している。なお、図２では、複数の取付ブラケット３０のうち、１つの取付ブラケット３０のみが示されている。
【００１３】
補強部材１０は、スカートガード５の長手方向（即ち、踏段２の移動方向）に沿って配置されている。また、補強部材１０は、補強部材１０の長手方向に沿った溝部（凹部）１１が設けられた補強部材本体１０ａと、補強部材本体１０ａから突出した一対の板状の固定部１０ｂとを有している。固定板部１０ｂは、補強部材本体１０ａの幅方向について補強部材本体１０ａの両側の部分から外側にそれぞれ突出している。これにより、補強部材１０の断面形状は、補強部材本体１０ａ及び一対の固定部１０ｂによりハット形状となっている。補強部材１０は、溝部１１をスカートガード５に向けた状態でスカートガード５の裏面に固定されている。これにより、補強部材１０とスカートガード５との間には、溝部１１の内面とスカートガード５の裏面とで形成された空間が締結具取付用空間として存在している。
【００１４】
各補強部材１０の長手方向両端部は、スカートガード５からはみ出ないようにされている。従って、各補強部材１０の長手方向の長さは、スカートガード５の長手方向の長さと同じ長さ、またはスカートガード５の長手方向の長さよりも若干短い長さに設定されている。
【００１５】
締結具２０は、図２に示すように、補強部材１０の長手方向両端部にそれぞれ設けられている。また、締結具２０は、図３に示すように、溝部１１内（締結具取付用空間内）に嵌められたねじ座２１と、ねじ座２１に設けられた固定用ボルト（ねじ部材）２２とを有している。固定用ボルト２２は、ねじ山が形成された棒状部であるねじ軸部２２ａと、ねじ軸部２２ａの一端部に設けられ、ねじ軸部２２ａの軸径よりも大きい径のねじ頭部２２ｂとで構成されている。溝部１１の内面のうち、スカートガード５と対向する面（即ち、溝部１１の底面）１１ａには、固定用ボルト２２を通すための複数のボルト通し穴１２が設けられている。ボルト通し穴１２は、固定用ボルト２２のねじ頭部２２ｂよりも小さくねじ軸部２２ａよりも大きな内径を持つ丸穴となっている。
【００１６】
ねじ座２１は、ねじ軸部２２ａが螺合されるねじ穴が設けられた断面矩形の板状部材である。また、ねじ座２１は、溝部１１の内面に当たって回らないようにされた状態で溝部１１内に配置されている。これにより、ねじ軸部２２ａをねじ座２１のねじ穴に螺合するときに、ねじ座２１がねじ軸部２２ａとともに回ってしまうことが防止される。締結具２０は、ボルト通し穴１２に通されたねじ軸部２２ａを、溝部１１内に嵌められたねじ座２１に螺合させた状態で、補強部材１０に取り付けられている。
【００１７】
主枠１は、図２に示すように、主枠１の長手方向に沿って上下に配置されている一対の横材１ａと、横材１ａを繋ぐ複数の縦材１ｂとを有している。なお、図２では、複数の縦材１ｂのうち、１つの縦材１ｂのみが示されている。
【００１８】
取付ブラケット３０は、縦材１ｂの側面に重ねられた板状の主枠側取付部３０ａと、踏段２の幅方向端面に対向するように主枠側取付部３０ａから曲げられ、補強部材１０が取り付けられる板状の補強部材側取付部３０ｂとで構成されている。これにより、取付ブラケット３０の断面形状はＬ字状となっている。
【００１９】
主枠側取付部３０ａには、一端部が開放された複数の開放長穴３１が主枠１の幅方向に沿って設けられている。取付ブラケット３０は、開放長穴３１に通されたボルト３５と、ボルト３５に螺合するナット（図示せず）とによって縦材１ｂの側面に固定されている。踏段２の幅方向端面に対する補強部材側取付部３０ｂの距離は、ボルト３５を緩めることにより調整可能になる。
【００２０】
補強部材側取付部３０ｂには、だるま穴３４が設けられている。だるま穴３４は、一端部が開放されたスリット部３２と、スリット部３２の幅寸法よりも大きな径を持ち、スリット部３２のスリット開放部（開放部分）３２ａを通してスリット部３２内に連通する大径穴部３３とで構成されている。この例では、上下方向に沿ったスリット部３２の上端部が開放され、スリット部３２の上端部に大径穴部３３が繋がっている。
【００２１】
大径穴部３３の内径は、ねじ軸部２２ａ及びねじ頭部２２ｂのいずれの径よりも大きくなっている。これにより、大径穴部３３は、固定用ボルト２２の通過を許容するようになっている。これに対して、スリット部３２の幅寸法は、ねじ頭部２２ｂの径よりも小さいが、ねじ軸部２２ａの径よりも大きい寸法となっている。これにより、スリット部３２は、ねじ軸部２２ａの通過は許容するが、ねじ頭部２２ｂの通過を阻止するようになっている。ねじ軸部２２ａは、スリット部３２のスリット開放部３２ａを通して、スリット部３２に対して挿入及び取り外し可能になっている。また、ねじ軸部２２ａは、スリット部３２に挿入されている状態で、スリット部３２の長手方向についてスライド可能になっている。
【００２２】
取付ブラケット３０の補強部材側取付部３０ｂは、ねじ軸部２２ａがスリット部３２に挿入された状態で固定用ボルト２２がねじ座２１に締め付けられることにより、ねじ頭部２２ｂと補強部材本体１０ａとの間で挟持される。補強部材１０は、補強部材側取付部３０ｂがねじ頭部２２ｂと補強部材本体１０ａとの間で挟持されることにより、取付ブラケット３０に取り付けられる。補強部材１０は、固定用ボルト２２が緩められて、スリット開放部３２ａを通してねじ軸部２２ａがスリット部３２から外されることにより、取付ブラケット３０から取り外される。スカートガード５は、補強部材１０が取付ブラケット３０に取り付けられることにより主枠１に取り付けられ、補強部材１０が取付ブラケット３０から取り外されることにより主枠１から取り外される。
【００２３】
次に、スカートガード５の着脱方法について説明する。スカートガード５を主枠１に取り付けるときには、まず、踏段２の幅方向端面に対向する決められた位置にスカートガード５が配置されるように、縦材１ｂに対する取付ブラケット３０の固定位置を調整する。このとき、取付ブラケット３０の上下方向の位置は、スカートガード５が決められた位置にあるときの固定用ボルト２２のねじ軸部２２ａがスリット部３２の下端部に位置するように調整する。また、スカートガード５の裏面に設けられた補強部材１０には、固定用ボルト２２を緩めた状態で締結具２０を予め取り付けておく。
【００２４】
この後、スカートガード５を持ちながら、それぞれ対応する大径穴部３３に各固定用ボルト２２を挿入し、大径穴部３３内からスリット開放部３２ａを通してねじ軸部２２ａをスリット部３２に挿入する。この後、スリット部３２の下端部までねじ軸部２２ａをスライドさせ、固定用ボルト２２を締め付ける。これにより、補強部材１０が取付ブラケット３０に取り付けられ、踏段２の幅方向端面に対向する決められた位置にスカートガード５が配置される。このようにして、主枠１に対してスカートガード５を取り付ける。
【００２５】
なお、取付ブラケット３０の固定位置がすでに調整済みである場合には、取付ブラケット３０の位置調整作業は不要である。従って、例えばエスカレータの据え付け後の点検作業時にスカートガード５を取り付けるときには、固定された取付ブラケット３０の大径穴部３３に固定用ボルト２２を挿入する作業から開始される。
【００２６】
スカートガード５を主枠１から取り外すときは、取り付けるときと逆の手順で行う。即ち、先ず、各固定用ボルト２２を緩める。このとき、固定用ボルト２２は、ねじ座２１から取り外さない。その後、スカートガード５を上方に持ち上げることで、固定用ボルト２２のねじ軸部２２ａをスリット部３２から大径穴部３３までスライドさせる。その後、固定用ボルト２２を大径穴部３３から抜くことにより、取付ブラケット３０から補強部材１０を取り外す。このようにして、主枠１からスカートガード５を取り外す。
【００２７】
このようなスカートガード着脱装置６では、取付ブラケット３０に設けられただるま穴３４のスリット部３２にスリット開放部３２ａを通して固定用ボルト２２のねじ軸部２２ａが挿入可能になっており、またスリット部３２に挿入されたねじ軸部２２ａがスリット開放部３２ａを通してスリット部３２から外れるようになっているので、締結具２０を補強部材１０から取り外さなくても、取付ブラケット３０に対して補強部材１０を着脱することができる。これにより、例えば作業員がスカートガード５と主枠１との締結部分（締結具２０）を目視することが困難なとき、または締結具２０の周辺の工具使用スペースが狭いときでも、スカートガード５の着脱時における締結具２０の落下をより確実に防止することができる。従って、落下した部品による他部品の破損等の二次災害を防止することができる。
【００２８】
また、補強部材１０とスカートガード５との間に存在する空間（締結具取付用空間）にねじ座２１が存在し、ねじ座２１にねじ軸部２２ａが螺合されているので、補強部材１０の板厚が薄くても、ねじ座２１の厚さを確保することにより、固定用ボルト２２とねじ座２１との締結による強度を確保することができる。これにより、取付ブラケット３０に補強部材１０をより強固に固定することができる。
【００２９】
実施の形態２．
実施の形態１では、スリット部３２及び大径穴部３３で構成されただるま穴３４が取付ブラケット３０に設けられているが、大径穴部３３をなくしてスリット部３２のみを取付ブラケット３０に設けてもよい。
【００３０】
図４は、この発明の実施の形態２によるスカートガード着脱装置６の取付ブラケット３０を示す斜視図である。図４に示すように、スリット部３２は、取付ブラケット３０の補強部材側取付部３０ｂに上下方向に沿って設けられている。また、スリット部３２は、補強部材側取付部３０ｂの上端部で開放されている。ねじ軸部２２ａは、スリット部３２のスリット開放部３２ａを通して、スリット部３２に対して挿入及び取り外し可能になっている。また、ねじ軸部２２ａは、スリット部３２に挿入されている状態で、スリット部３２の長手方向（上下方向）についてスライド可能になっている。その他の構成は、実施の形態１と同様である。また、着脱方法も実施の形態１と同様である。
【００３１】
このように、上下方向に沿ったスリット部３２を取付ブラケット３０の上端部で開放させても、実施の形態１と同様の効果を得ることができる。
【００３２】
実施の形態３．
実施の形態１では、だるま穴３４のスリット部３２が取付ブラケット３０に上下方向に沿って設けられているが、だるま穴３４のスリット部３２を取付ブラケット３０に踏段２の移動方向に沿って設けてもよい。
【００３３】
図５は、この発明の実施の形態３によるスカートガード着脱装置６の取付ブラケット３０を示す斜視図である。図５に示すように、この例では、だるま穴３４のスリット部３２が踏段２の移動方向に沿って配置されている。スリット部３２と大径穴部３３とは、踏段２の移動方向について同一直線上に配置されている。また、この例では、大径穴部３３がスリット部３２よりも主枠側取付部３０ａに近い位置に配置されている。その他の構成は、実施の形態１と同様である。
【００３４】
スカートガード５の着脱方法は、スリット部３２内でねじ軸部２２ａをスライドさせる方向が踏段２の移動方向に沿った方向であることを除き、実施の形態１と同様である。従って、複数のスカートガード５が踏段２の移動方向へ並べられている場合、隣り合うスカートガード５のうち主枠１の長手方向端部に配置されているものから順番に着脱される。
【００３５】
このように、だるま穴３４のスリット部３２を踏段２の移動方向に沿って配置しても、実施の形態１と同様の効果を得ることができる。
【００３６】
実施の形態４．
実施の形態２では、取付ブラケット３０の端部で開放されたスリット部３２が上下方向に沿って設けられているが、取付ブラケット３０にスリット部３２を踏段２の移動方向に沿って設けてもよい。
【００３７】
図６は、この発明の実施の形態４によるスカートガード着脱装置６の取付ブラケット３０を示す斜視図である。図６に示すように、この例では、スリット部３２が踏段２の移動方向に沿って配置されている。スリット部３２は、補強部材側取付部３０ｂの主枠側取付部３０ａから離れた側の端部で開放されている。その他の構成は、実施の形態２と同様である。また、着脱方法は、実施の形態３と同様である。
【００３８】
このように、スリット部３２を踏段２の移動方向に沿って取付ブラケット３０に設け、取付ブラケット３０の端部でスリット部３２を開放させても、実施の形態１と同様の効果を得ることができる。
【００３９】
実施の形態５．
実施の形態１では、ねじ座２１の形状を断面矩形の平板状としているが、これに限定されず、ねじ座２１の形状を曲げ板状としてもよい。
【００４０】
図７は、この発明の実施の形態５によるスカートガード着脱装置６の補強部材１０に締結具２０が設けられている状態を示す斜視図である。図７に示すように、ねじ座２１は、平板状のねじ座本体２１ａと、ねじ座本体２１ａの端部からスカートガード５に向けて突出する板状の突出部２１ｂとを有している。これにより、ねじ座２１の断面形状は、ねじ座本体２１ａと突出部２１ｂとによってＬ字状となっている。この例では、ねじ座２１が一枚の金属板を曲げて作製されている。ねじ座２１は、実施の形態１同様、溝部１１内で回転しないように嵌められている。その他の構成は、実施の形態１と同様である。
【００４１】
このようなスカートガード着脱装置６では、突出部２１ｂがねじ座本体２１ａからスカートガード５に向けて突出しているので、溝部１１の底面１１ａとスカートガード５との間でのねじ座２１の変位量を制限することができる。これにより、固定用ボルト２２の取り扱いを容易にすることができる。
【００４２】
実施の形態６．
実施の形態１では、補強部材１０の断面形状がハット形状となっているが、これに限定されず、補強部材１０の断面形状を、略矩形Ｃ字状としてもよい。
【００４３】
図８は、この発明の実施の形態６によるスカートガード着脱装置６の補強部材１０に締結具２０が設けられている状態を示す斜視図である。図８に示すように、補強部材１０は、補強部材１０の長手方向に沿った溝部（凹部）１１が設けられた補強部材本体１０ａと、補強部材本体１０ａから突出した一対の板状の固定部１０ｂとを有している。固定板部１０ｂは、補強部材本体１０ａの幅方向について補強部材本体１０ａの両側の部分から内側にそれぞれ突出している。これにより、補強部材１０の断面形状は、補強部材本体１０ａ及び一対の固定部１０ｂにより略Ｃ矩形字状となっている。補強部材１０は、溝部１１をスカートガード５に向けた状態でスカートガード５の裏面に固定されている。これにより、補強部材１０とスカートガード５との間には、溝部１１の内面とスカートガード５の裏面とで形成された空間が締結具取付用空間として存在している。その他の構成は、実施の形態１と同様である。
【００４４】
このように、補強部材１０の断面形状を略矩形Ｃ字状としても、実施の形態１と同様の効果を得ることができる。
【００４５】
実施の形態７．
図９は、この発明の実施の形態７によるスカートガード着脱装置６の要部を示す斜視図である。図１０は、図９の補強部材１０に締結具２０が設けられている状態を示す拡大図である。図において、補強部材１０には、ねじ軸部２２ａがスライド可能に挿入された長穴であるボルト通し穴１２が踏段２の移動方向（即ち、補強部材１０の長手方向）に沿って設けられている。ボルト通し穴１２の幅寸法は、ねじ軸部２２ａの径よりも大きく、かつねじ頭部２２ｂの径よりも小さい寸法とされている。その他の構成は、実施の形態１と同様である。
【００４６】
このようなスカートガード着脱装置６では、ねじ軸部２２ａがスライド可能に挿入されたボルト通し穴１２が補強部材１０に踏段２の移動方向に沿って設けられているので、スカートガード５の取付作業時にスカートガード５の取付位置を踏段２の移動方向について調整することができる。
【００４７】
ここで、縦材１ｂに対する取付ブラケット３０の取付位置は、上下方向及び主枠１の幅方向については調整可能であるが、踏段２の移動方向については調整することができず縦材１ｂの位置によって決まってしまう。従って、スカートガード５に対する固定用ボルト２２の位置が補強部材１０の長手方向について固定されている場合には、取付ブラケット３０の取付位置に固定用ボルト２２の位置が合うように補強部材１０の加工を高精度で行うか、各固定用ボルト２２間の距離に取付ブラケット３０の位置が合うように縦材１ｂの側面と取付ブラケット３０との間にスペーサを挿入して取付ブラケット３０の位置を調整する必要がある。
【００４８】
これに対して、本実施の形態では、スカートガード５に対する固定用ボルト２２の位置を踏段２の移動方向について調整することができるので、取付ブラケット３０に対する固定用ボルト２２の位置ずれを容易に吸収することができる。これにより、補強部材１０の高精度の加工や、縦材１ｂと取付ブラケット３０との間にスペーサを挿入する作業等の手間をなくすことができ、作業時間の短縮化を図ることができる。これにより、エスカレータの生産性の向上を図ることができる。
【００４９】
なお、実施の形態７では、実施の形態１と同様の取付ブラケット３０を適用しているが、実施の形態２と同様の取付ブラケット３０を実施の形態７の構成に適用しても、実施の形態７と同様の効果を得ることができる。
【００５０】
実施の形態８．
実施の形態７では、縦材１ｂの側面に取り付けられた取付部材が実施の形態１と同様の取付ブラケット３０となっているが、縦材１ｂの側面に取り付けられた取付部材を実施の形態４と同様の取付ブラケット３０としてもよい。
【００５１】
図１１は、この発明の実施の形態８によるスカートガード着脱装置６の要部を示す斜視図である。図１２は、図１１の補強部材１０に締結具２０が設けられている状態を示す拡大図である。図において、スリット部３２は、踏段２の移動方向に沿って配置されている。また、スリット部３２は、補強部材側取付部３０ｂの主枠側取付部３０ａから離れた側の端部で開放されている。その他の構成は、実施の形態７と同様である。
【００５２】
このように、実施の形態４と同様の取付ブラケット３０を実施の形態７の取付ブラケット３０に適用しても、実施の形態７と同様の効果を得ることができる。
【００５３】
また、取付ブラケット３０に設けられたスリット部３２の方向と、補強部材１０に設けられた長穴であるボルト通し穴１２の方向とを一致させて、ボルト通し穴１２の長さをスリット部３２の長さよりも長くすることにより、固定用ボルト２２を緩めた後、スカートガード５を動かさずに固定用ボルト２２をボルト通し穴１２に沿ってスライドさせて、ねじ軸部２２ａをスリット部３２から外すことができる。これにより、実施の形態４ではスカートガード５が長手方向端部に配置されているものから順に着脱する必要があったが、必要な１枚のみの着脱作業が可能となり、スカートガード５の着脱作業をさらに容易にすることができる。
【００５４】
なお、実施の形態８では、実施の形態４と同様の取付ブラケット３０を適用しているが、実施の形態３と同様の取付ブラケット３０を実施の形態８の構成に適用しても、実施の形態８と同様の効果を得ることができる。
【００５５】
また、実施の形態５では、ねじ座本体２１ａと突出部２１ｂとを有するねじ座２１が実施の形態１のねじ座２１に適用されているが、ねじ座本体２１ａと突出部２１ｂとを有するねじ座２１を実施の形態２〜４及び６〜８のねじ座２１に適用してもよい。
【００５６】
また、上記実施の形態１〜６では、ねじ座２１が溝部１１に嵌められているだけとなっているが、溝部１１の内面にねじ座２１を溶接または接着等により予め固定しておいてもよい。さらに、溝部１１の内面に予め固定しておくねじ座２１として通常のナットを用いてもよい。
【００５７】
また、上記実施の形態１〜６では、補強部材１０に必要な板厚が確保されている場合には、ねじ軸部２２ａが螺合するねじ穴を補強部材１０に直接設けていてもよい。
【００５８】
さらに、各上記実施の形態では、補強部材１０の長手方向両端部がスカートガード５の長手方向端部からはみ出ないようにされているが、補強部材１０の長手方向端部はスカートガード５の長手方向端部からはみ出していてもよい。
【００５９】
また、各上記実施の形態では、補強部材１０が、スカートガード５の長手方向に沿って全長に設けられているが、補強部材１０が、取付ブラケット３０に相対するスカートガード５の部分にのみに設けられていてもよい。
【００６０】
また、各上記実施の形態では、補強部材１０の断面形状は、ハット形状又は略矩形Ｃ字状に限定されることはなく、例えば、補強部材１０を断面矩形状の管状部材としてもよい。
【００６１】
また、各上記実施の形態では、この発明がエスカレータに適用されているが、移動歩道（乗客コンベア）にこの発明を適用してもよい。
【符号の説明】
【００６２】
１  主枠、２  踏段、５  スカートガード、６  スカートガード着脱装置、１０  補強部材、１２  ボルト通し穴（長穴）、２０  締結具、２１  ねじ座、２１ａ  ねじ座本体、２１ｂ  突出部、２２  固定用ボルト（ねじ部材）、２２ａ  ねじ軸部、２２ｂ  ねじ頭部、３０  取付ブラケット（取付部材）、３２  スリット部、３２ａ  スリット開放部（開放部分）、３３  大径穴部、３４  だるま穴。
【図１】
2015024894.tif 000003
【図２】
2015024894.tif 000004
【図３】
2015024894.tif 000005
【図４】
2015024894.tif 000006
【図５】
2015024894.tif 000007
【図６】
2015024894.tif 000008
【図７】
2015024894.tif 000009
【図８】
2015024894.tif 000010
【図９】
2015024894.tif 000011
【図１０】
2015024894.tif 000012
【図１１】
2015024894.tif 000013
【図１２】
2015024894.tif 000014